(57)【特許請求の範囲】
【請求項１】
機器の種類毎に固有の第１の識別情報を割り付けられた登録機器が、第２の識別情報を個体毎に割り付けられたゲートウェイ装置と第１のネットワークを介して接続し、センターサーバは、前記ゲートウェイ装置と第２のネットワークを介して接続し、携帯機器は、第３の識別情報を個体毎に割り付けられ、
前記登録機器の前記第１の識別情報に前記ゲートウェイ装置の前記第２の識別情報を付加して前記センターサーバへ送信し、
前記携帯機器の前記第３の識別情報に前記ゲートウェイ装置の前記第２の識別情報を付加して前記センターサーバへ送信し、
前記センターサーバは、受信した前記第１の識別情報および前記第２の識別情報を互いに対応付けたアクセスアドレスを作成し、このアクセスアドレスと同じ前記第２の識別情報を付加された前記第３の識別情報をこのアクセスアドレスに対応付ける
ことを特徴とする機器登録方法。
【請求項２】
機器の種類毎に固有の第１の識別情報を割り付けられて、登録対象となる登録機器と、
第２の識別情報を個体毎に割り付けられ、前記登録機器と第１のネットワークを介して接続するゲートウェイ装置と、
前記ゲートウェイ装置と第２のネットワークを介して接続するセンターサーバと、
第３の識別情報を個体毎に割り付けられた携帯機器と、
前記登録機器の前記第１の識別情報を、前記ゲートウェイ装置を介して前記センターサーバへ送信する機器情報送信手段とを備え、
前記ゲートウェイ装置は、受信した前記第１の識別情報に前記第２の識別情報を付加して前記センターサーバへ送信し、
前記携帯機器は、前記第３の識別情報を前記ゲートウェイ装置を介して前記センターサーバへ送信し、前記ゲートウェイ装置は、受信した前記第３の識別情報に前記第２の識別情報を付加して前記センターサーバへ送信し、
前記センターサーバは、受信した前記第１の識別情報および前記第２の識別情報を互いに対応付けたアクセスアドレスを作成し、このアクセスアドレスと同じ前記第２の識別情報を付加された前記第３の識別情報をこのアクセスアドレスに対応付ける
ことを特徴とする機器登録システム。
【請求項３】
前記機器情報送信手段は、前記登録機器が、自己の前記第１の識別情報を、前記ゲートウェイ装置を介して前記センターサーバへ送信することで構成されることを特徴とする請求項２記載の機器登録システム。
【請求項４】
前記機器情報送信手段は、前記携帯機器が、前記登録機器から前記第１の識別情報を取得し、この取得した前記第１の識別情報と自己の第３の識別情報とを前記ゲートウェイ装置へ送信することで構成され、
前記ゲートウェイ装置は、受信した前記第１の識別情報および前記第３の識別情報に前記第２の識別情報を付加して前記センターサーバへ送信する
ことを特徴とする請求項２記載の機器登録システム。
【発明の詳細な説明】
【技術分野】
【０００１】
本発明は、機器登録方法、および機器登録システムに関するものである。
【背景技術】
【０００２】
従来、携帯機器を用いてネットワーク上のセンターサーバにアクセスし、センターサーバ経由で遠隔の宅内機器を制御するシステムがある（例えば、特許文献１参照）。
【先行技術文献】
【特許文献】
【０００３】
【特許文献１】特開２００８−１７６７１２号公報
【発明の概要】
【発明が解決しようとする課題】
【０００４】
従来のシステムでは、センターサーバが、機器登録テーブルを保持しており、機器登録テーブルは、携帯機器の識別情報に、この携帯機器によって制御される宅内機器に固有の機器アドレスが対応付けられている。そして、センターサーバは、アクセスしてきた携帯機器の識別情報に機器アドレスが対応付けられた宅内機器に対して制御信号を送信する。
【０００５】
このようなシステムでは、ユーザが、パーソナルコンピュータ等の表示端末に登録画面を表示し、この登録画面上で、携帯機器の識別情報に宅内機器の機器アドレスを対応付けることによって、センターサーバに機器登録テーブルが作成される。すなわち、機器登録テーブルの作成には、ユーザによる手動操作が必要であった。
【０００６】
また、ユーザが、登録画面上で入力する宅内機器の機器アドレスは、宅内機器の個体毎に固有に割り付けられており、例えば種類（照明機器、空調機器等）の同じ宅内機器であっても、互いに異なる機器アドレスが個体毎に割り付けられている。したがって、宅内機器の製造時における機器アドレスの発番手段が必要であり、この機器アドレスが個体間で重複しないように管理する必要があった。さらに、この機器アドレスは、宅内機器にラベル等の媒体で必ず付属させておく必要があり、この媒体を紛失した場合、宅内機器の登録ができなくなる虞があった。
【０００７】
本発明は、上記事由に鑑みてなされたものであり、その目的は、機器アドレスの発番管理を簡易にできるとともに、機器登録テーブルを容易に作成できる機器登録方法、および機器登録システムを提供することにある。
【課題を解決するための手段】
【０００８】
本発明の機器登録方法は、機器の種類毎に固有の第１の識別情報を割り付けられた登録機器が、第２の識別情報を個体毎に割り付けられたゲートウェイ装置と第１のネットワークを介して接続し、センターサーバは、前記ゲートウェイ装置と第２のネットワークを介して接続し、携帯機器は、第３の識別情報を個体毎に割り付けられ、前記登録機器の前記第１の識別情報に前記ゲートウェイ装置の前記第２の識別情報を付加して前記センターサーバへ送信し、前記携帯機器の前記第３の識別情報に前記ゲートウェイ装置の前記第２の識別情報を付加して前記センターサーバへ送信し、前記センターサーバは、受信した前記第１の識別情報および前記第２の識別情報を互いに対応付けたアクセスアドレスを作成し、このアクセスアドレスと同じ前記第２の識別情報を付加された前記第３の識別情報をこのアクセスアドレスに対応付けることを特徴とする。
【０００９】
本発明の機器登録システムは、機器の種類毎に固有の第１の識別情報を割り付けられて、登録対象となる登録機器と、第２の識別情報を個体毎に割り付けられ、前記登録機器と第１のネットワークを介して接続するゲートウェイ装置と、前記ゲートウェイ装置と第２のネットワークを介して接続するセンターサーバと、第３の識別情報を個体毎に割り付けられた携帯機器と、前記登録機器の前記第１の識別情報を、前記ゲートウェイ装置を介して前記センターサーバへ送信する機器情報送信手段とを備え、前記ゲートウェイ装置は、受信した前記第１の識別情報に前記第２の識別情報を付加して前記センターサーバへ送信し、前記携帯機器は、前記第３の識別情報を前記ゲートウェイ装置を介して前記センターサーバへ送信し、前記ゲートウェイ装置は、受信した前記第３の識別情報に前記第２の識別情報を付加して前記センターサーバへ送信し、前記センターサーバは、受信した前記第１の識別情報および前記第２の識別情報を互いに対応付けたアクセスアドレスを作成し、このアクセスアドレスと同じ前記第２の識別情報を付加された前記第３の識別情報をこのアクセスアドレスに対応付けることを特徴とする。
【００１０】
この発明において、前記機器情報送信手段は、前記登録機器が、自己の前記第１の識別情報を、前記ゲートウェイ装置を介して前記センターサーバへ送信することで構成されることが好ましい。
【００１１】
この発明において、前記機器情報送信手段は、前記携帯機器が、前記登録機器から前記第１の識別情報を取得し、この取得した前記第１の識別情報と自己の第３の識別情報とを前記ゲートウェイ装置へ送信することで構成され、前記ゲートウェイ装置は、受信した前記第１の識別情報および前記第３の識別情報に前記第２の識別情報を付加して前記センターサーバへ送信することが好ましい。
【発明の効果】
【００１２】
以上説明したように、本発明では、機器アドレスの発番管理を簡易にできるとともに、機器登録テーブルを容易に作成できるという効果がある。
【図面の簡単な説明】
【００１３】
【図１】実施形態１のシステム構成を示すブロック図である。
【図２】（ａ）〜（ｃ）同上の機器登録テーブルを示すテーブル図である。
【図３】実施形態２のシステム構成を示すブロック図である。
【発明を実施するための形態】
【００１４】
以下、本発明の実施の形態を図面に基づいて説明する。
【００１５】
（実施形態１）
図１は、機器登録システムの構成を示し、宅内機器１と、携帯機器２と、ゲートウェイ装置３と、センターサーバ４とを備える。
【００１６】
宅内機器１は、家屋Ｘに設置され、照明機器、空調機器等の種類毎に分類されている。そして、宅内機器１は、機器の種類毎に固有の機器アドレスＵ（第１の識別情報）を予め割り付けられており、自己の機器アドレスＵをＲＯＭ等の不揮発性メモリに記憶している。この機器アドレスＵは、宅内機器１の種類毎に割り付けられており、種類が同じ複数の宅内機器１は、同じ機器アドレスＵが割り付けられる。例えば、照明機器１（１Ａ）であれば、そのメーカ、型番等を問わず、全ての照明機器１Ａが同じ機器アドレスＵａを予め割り付けられている。また、空調機器１（１Ｂ）であれば、そのメーカ、型番等を問わず、全ての空調機器１Ｂが同じ機器アドレスＵｂを予め割り付けられている。なお、宅内機器１は、本発明の登録対象となる登録機器に相当する。
【００１７】
携帯機器２は、家屋Ｘの内外ともに使用可能なネットワーク通信機能を有する携帯電話等で構成され、その個体毎に識別情報Ｋ（第３の識別情報）が割り付けられており、自己の識別情報ＫをＲＯＭ等の不揮発性メモリに記憶している。なお、携帯機器２の個体毎の識別情報Ｋを区別する場合、識別情報Ｋａ，Ｋｂ，Ｋｃ，．．．と称す。
【００１８】
ゲートウェイ装置３は、家屋Ｘに設置され、宅内のローカルネットワークＮＴ１（第１のネットワーク）と、宅外の外部ネットワークＮＴ２（第２のネットワーク）とに接続しており、ローカルネットワークＮＴ１−外部ネットワークＮＴ２間の通信のプロトコル変換を行う。また、ゲートウェイ装置３は、外部ネットワークＮＴ２におけるアドレスとして、ＧＷアドレスＩＰ（第２の識別情報）を予め割り付けられており、自己のＧＷアドレスＩＰをＲＯＭ等の不揮発性メモリに記憶している。なお、ゲートウェイ装置３の個体毎のＧＷアドレスＩＰを区別する場合、ＧＷアドレスＩＰａ，ＩＰｂ，ＩＰｃ，．．．と称す。
【００１９】
センターサーバ４は、家屋Ｘ外の外部ネットワークＮＴ２上に設けられている。そして、ローカルネットワークＮＴ１上の宅内機器１および携帯機器２は、ゲートウェイ装置３を介して、外部ネットワークＮＴ２上のセンターサーバ４との間で通信を行うことができる。さらに携帯機器２は、家屋Ｘ外において、外部ネットワークＮＴ２を介してセンターサーバ４との間で通信を行うことも可能である。このようなセンターサーバ４は、後述の機器登録テーブルＴＢ１を格納するデータ記憶部４１を備えている。
【００２０】
本システムにおいて、携帯機器２は、家屋Ｘの外から、外部ネットワークＮＴ２を介してセンターサーバ４にアクセスすることによって、宅内機器１の監視・制御を行うことができる。以下、この遠隔監視制御を行うにあたって必要な機器登録処理について説明する。
【００２１】
まず、宅内機器１は、機器の種類毎に固有の機器アドレスＵを予め割り付けられている。例えば、照明機器１Ａは、機器アドレスＵａ、空調機器１Ｂは、機器アドレスＵｂが予め割り付けられており、この機器アドレスＵ（Ｕａ，Ｕｂ，．．．）は、ＵＲＬ（Uniform Resource Locator）で表される。
【００２２】
そして、宅内機器１（この場合、照明機器１Ａ）は、自己の機器アドレスＵａのアドレスデータを、センターサーバ４を送信先としてローカルネットワークＮＴ１上に送出する。ゲートウェイ装置３は、受信したアドレスデータの送信先がセンターサーバ４であると判断した場合、機器アドレスＵａに自己のＧＷアドレスＩＰａを付加したアドレスデータを、外部ネットワークＮＴ２上のセンターサーバ４へ送信する。
【００２３】
センターサーバ４は、受信したアドレスデータに基づいて、機器アドレスＵａおよびＧＷアドレスＩＰａを互いに対応させて、図２（ａ）に示す機器登録テーブルＴＢ１に格納する。機器登録テーブルＴＢ１は、識別情報Ｋ、ＧＷアドレスＩＰ、機器アドレスＵの各項目からなり、ＧＷアドレスＩＰと機器アドレスＵとでアクセスアドレスを構成している。ここでは図２（ｂ）に示すように、機器アドレスＵａ、ＧＷアドレスＩＰａが、アクセスアドレスとして機器登録テーブルＴＢ１に格納される。
【００２４】
次に、家屋Ｘ内の携帯機器２は、自己の識別情報Ｋａの識別データを、センターサーバ４を送信先としてローカルネットワークＮＴ１上に送出する。ゲートウェイ装置３は、受信した識別データの送信先がセンターサーバ４であると判断した場合、識別情報Ｋａに自己のＧＷアドレスＩＰａを付加した識別データを、外部ネットワークＮＴ２上のセンターサーバ４へ送信する。
【００２５】
センターサーバ４は、受信した識別データに基づいて、識別情報ＫａおよびＧＷアドレスＩＰａを互いに対応させて、図２（ｂ）に示す機器登録テーブルＴＢ１に格納する。具体的には、受信した識別データに含まれるＧＷアドレスＩＰａは機器登録テーブルＴＢ１に既に格納されており、センターサーバ４は、図２（ｃ）に示すように、この既に格納されているＧＷアドレスＩＰａに対応させて識別情報Ｋａを格納する。
【００２６】
したがって、機器登録テーブルＴＢ１には、識別情報Ｋａ、ＧＷアドレスＩＰａ、機器アドレスＵａが互いに対応して格納され、「識別情報Ｋａ」に対応するアクセスアドレスとして、「ＧＷアドレスＩＰａ、機器アドレスＵａ」が登録される。
【００２７】
このようにして、本システムにおける機器登録処理が完了する。
【００２８】
そして、家屋Ｘ外において携帯機器２を携行したユーザは、携帯機器２を操作することによって、制御対象とする宅内機器１の種類（照明機器１Ａ、空調機器１Ｂ等）を選択して、制御開始操作を行う。具体的に、携帯機器２は、制御対象とする宅内機器１の種類「照明機器１Ａ」に自己の「識別情報Ｋ１」を付加した制御データ「照明機器１Ａ、識別情報Ｋ１」を、外部ネットワークＮＴ２上に送出する。
【００２９】
センターサーバ４は、宅内機器１の種類毎の機器アドレスＵのデータを予め保持しており、受信した制御データ「照明機器１Ａ、識別情報Ｋ１」に基づいて、照明機器１Ａの機器アドレスＵａを読み出す。そして、センターサーバ４は、機器登録テーブルＴＢ１を参照して、「識別情報Ｋ１、機器アドレスＵａ」に共通に対応付けられている「ＧＷアドレスＩＰａ」を抽出する。したがって、センターサーバ４は、アクセスしてきた携帯機器２の制御対象となる照明機器１Ａのアクセスアドレス「ＧＷアドレスＩＰａ、機器アドレスＵａ」を特定できる。以降、センターサーバ４は、この特定したアクセスアドレス「ＧＷアドレスＩＰａ、機器アドレスＵａ」を用いて、携帯機器２からの指示によって、家屋Ｘ内の照明機器１Ａの監視・制御を行うことができる。
【００３０】
このように、本システムでは、宅内機器１の固体毎の機器アドレスではなく、宅内機器１の種類毎の機器アドレスＵを用いるので、宅内機器１の製造時における機器アドレスの発番管理を簡略化することができる。すなわち、機器アドレスＵは、製造ロット、型番等に関係なく、機器の種類毎に予め決まっているので、製造時、出荷時における機器アドレスの発番管理を省略することが可能になる。さらに、ユーザは、宅内機器１の機器アドレスＵが不明な場合、メーカのホームページ等を参照して、該当する種類の機器の機器アドレスＵを調べることができる。
【００３１】
また、宅内機器１がゲートウェイ装置３を介してセンターサーバ４へアドレスデータを送信し、携帯機器２がゲートウェイ装置３を介してセンターサーバ４へ識別データを送信することによって、機器登録テーブルＴＢ１が自動作成される。すなわち、機器登録テーブルＴＢ１を容易に作成できるのである。
【００３２】
なお、本実施形態では、宅内機器１が、自己の機器アドレスＵを、ゲートウェイ装置３を介してセンターサーバ４へ送信することで、本発明の機器情報送信手段を構成している。
【００３３】
（実施形態２）
本実施形態の機器登録システムは、図３に示す構成を備えており、携帯機器２がバーコードリーダー２１を備えるものである。なお、実施形態１と同様の構成には同一の符号を付す。
【００３４】
まず、本実施形態の宅内機器１は、自己の機器アドレスＵを表すバーコードを表面に印刷、シール貼付等によって設けている。
【００３５】
携帯機器２は、カメラ機能を用いたバーコードリーダー２１を備えており、バーコードリーダー２１は、ユーザ操作によって撮像した宅内機器１のバーコードの画像情報を読み込む。バーコードリーダー２１は、読み込んだバーコードの画像情報から宅内機器１の機器アドレスＵを抽出する。
【００３６】
そして、携帯機器２は、バーコードリーダー２１が照明機器１Ａの機器アドレスＵａを抽出した場合、この機器アドレスＵａおよび自己の識別情報Ｋａを含む登録データを、センターサーバ４を送信先としてローカルネットワークＮＴ１上に送出する。ゲートウェイ装置３は、受信した登録データの送信先がセンターサーバ４であると判断した場合、自己のＧＷアドレスＩＰａをさらに付加した登録データを、外部ネットワークＮＴ２上のセンターサーバ４へ送信する。すなわち、この時点で、機器アドレスＵａにＧＷアドレスＩＰａが付加され、識別情報ＫａにＧＷアドレスＩＰａが付加されたことになる。
【００３７】
センターサーバ４は、受信した登録データに基づいて、識別情報ＫａおよびＧＷアドレスＩＰａおよび機器アドレスＵａを互いに対応させて、機器登録テーブルＴＢ１に格納する（図２（ｃ）参照）。
【００３８】
したがって、機器登録テーブルＴＢ１には、識別情報Ｋａ、ＧＷアドレスＩＰａ、機器アドレスＵａが互いに対応して格納され、「識別情報Ｋａ」に対応するアクセスアドレスとして、「ＧＷアドレスＩＰａ、機器アドレスＵａ」が登録される。
【００３９】
このようにして、本システムにおける機器登録処理が完了する。
【００４０】
本システムでは、センターサーバ４は、識別情報Ｋａ、ＧＷアドレスＩＰａ、機器アドレスＵａを一括取得することができ、機器登録のため通信トラフィックを抑制できる。
【００４１】
また、宅内機器１が、自己の機器アドレスＵをセンターサーバ４へ送信する必要がなく、機器登録の時点で、宅内機器１がローカルネットワークＮＴ１に接続されていなくてもよい。すなわち、施工業者による宅内機器１の設置工事と、ユーザによる機器登録作業との実施順序に制約がなくなる。
【００４２】
また、本実施形態では、携帯機器２が、宅内機器１から機器アドレスＵを取得し、この取得した機器アドレスＵと自己の識別情報Ｋとをゲートウェイ装置３へ送信することで、本発明の機器情報送信手段を構成している。
【００４３】
なお、他の構成は実施形態１と同様であり、説明は省略する。
【符号の説明】
【００４４】
１  宅内機器（登録機器）
２  携帯機器
３  ゲートウェイ装置
４  センターサーバ
ＮＴ１  ローカルネットワーク（第１のネットワーク）
ＮＴ２  外部ネットワーク（第２のネットワーク）
【図１】
0005845459.tif 000002
【図２】
0005845459.tif 000003
【図３】
0005845459.tif 000004